【手続補正書】
【提出日】平成19年8月29日(2007.8.29)
【手続補正１】
【補正対象書類名】明細書
【補正対象項目名】特許請求の範囲
【補正方法】変更
【補正の内容】
【特許請求の範囲】
【請求項１】  少なくとも結着樹脂、ワックス、及び磁性粉体を含むトナー粒子と、無機微粉体とを有する磁性トナーにおいて、
前記トナー粒子は、平均円形度が０.９６０以上であり、トナー粒子表面には実質的に
磁性粉体が露出しておらず、
前記ワックスは、前記結着樹脂の構成要素である単量体に可溶なワックスと不溶なワックスとの少なくとも二種類を含むことを特徴とする磁性トナー。
【請求項２】  前記トナー粒子の平均円形度が０.９７０以上であることを特徴とす
る請求項１記載の磁性トナー。
【請求項３】  前記磁性トナーの投影面積円相当径をＣとし、透過型電子顕微鏡を用いた磁性トナーの断面観察において、前記磁性粉体と前記トナー粒子表面との最小の距離の最小値をＤとしたときに、Ｄ／Ｃ≦０.０２の関係を満たすトナー粒子の個数が５０％
以上であることを特徴とする請求項１記載の磁性トナー。
【請求項４】  前記トナー粒子中の前記可溶なワックスの含有量をＥ、前記不溶なワックスの含有量をＦとしたとき、可溶なワックスと不溶なワックスの含有量の比（Ｅ／Ｆ）が０.５≦Ｅ／Ｆ≦１００の関係を満たすことを特徴とする請求項１記載の磁性トナー
。
【請求項５】  前記可溶なワックスは、エステルワックス、パラフィンワックス、マイクロクリスタリンワックス、これらのワックスの酸化物及び誘導体の群の中から選択され、前記不溶なワックスは、ポリオレフィンワックス、フィッシャートロプシュワックス、モンタンワックス、これらのワックスの酸化物及び誘導体の群の中から選択されることを特徴とする請求項１記載の磁性トナー。
【請求項６】  前記トナー粒子のモード円形度が０.９９以上であることを特徴とす
る請求項１記載の磁性トナー。
【請求項７】  前記ワックスが前記結着樹脂に対して総量で０.５〜５０質量部含ま
れることを特徴とする請求項１記載の磁性トナー。
【請求項８】  前記ワックスの示差走査熱量分析における吸熱ピークが、４５〜１５０℃の範囲に存在することを特徴とする請求項７記載の磁性トナー。
【請求項９】  前記トナー粒子が重合法によって得られることを特徴とする請求項１記載の磁性トナー。
【請求項１０】  前記磁性粉体は、水系媒体中でカップリング剤の加水分解により表面処理されていることを特徴とする請求項９記載の磁性トナー。
【請求項１１】  磁場７９.６ｋＡ／ｍにおける磁化の強さが１０〜５０Ａｍ２／ｋ
ｇであることを特徴とする請求項１記載の磁性トナー。
【請求項１２】  前記無機微粉体の一次平均粒径が４〜８０ｎｍであることを特徴とする請求項１記載の磁性トナー。
【請求項１３】  前記無機微粉体は、シリカ、酸化チタン、及びアルミナから選ばれる少なくとも一種またはその複酸化物を含有することを特徴とする請求項１２記載の磁性トナー。
【請求項１４】  前記無機微粉体が疎水化処理されていることを特徴とする請求項１記載の磁性トナー。
【請求項１５】  前記無機微粉体が少なくともシリコーンオイルで疎水化処理されていることを特徴とする請求項１４記載の磁性トナー。
【請求項１６】  前記無機微粉体が少なくともシラン化合物及びシリコーンオイルで疎水化処理されていることを特徴とする請求項１５記載の磁性トナー。
【請求項１７】  静電潜像を担持する像担持体に現像剤を供給することにより前記静電潜像を顕像化し、顕像化した像を記録材に定着させることにより画像を形成する画像形成装置において、
前記現像剤が前記請求項１〜１６のいずれかに記載の磁性トナーを含むことを特徴とする画像形成装置。
【請求項１８】  前記画像形成装置は、静電潜像を担持する像担持体と、像担持体を帯電する帯電手段と、帯電された像担持体に静電潜像を形成する潜像形成手段と、静電潜像が形成された像担持体に現像剤を供給して静電潜像を顕像化する現像装置と、顕像化した像を転写材に転写する転写手段と、転写材に転写された像を転写材に定着させる定着手段とを少なくとも有し、前記帯電手段は、像担持体に接触して帯電する接触帯電装置であることを特徴とする請求項１７記載の画像形成装置。
【請求項１９】  前記接触帯電装置が、交番電圧の印加によって前記像担持体を帯電することを特徴とする請求項１８記載の画像形成装置。
【請求項２０】  静電潜像を担持する像担持体と、像担持体を帯電する帯電手段と、帯電された像担持体に静電潜像を形成する潜像形成手段と、静電潜像が形成された像担持体に現像剤を供給して静電潜像を顕像化する現像装置と、顕像化した像を転写材に転写する転写手段と、転写材に転写された像を転写材に定着させる定着手段とを少なくとも有する画像形成装置に使用され、前記現像装置を少なくとも含む複数の異なる手段を有し、これらを画像形成装置本体に対して一体的に、かつ着脱自在に構成したプロセスカートリッジにおいて、
前記現像剤が前記請求項１〜１６のいずれかに記載の磁性トナーを含むことを特徴とするプロセスカートリッジ。
【手続補正２】
【補正対象書類名】明細書
【補正対象項目名】００４２
【補正方法】変更
【補正の内容】
【００４２】
具体的な測定方法としては、界面活性剤を約０.１ｍｇ溶解している水１０ｍＬに現像
剤約５ｍｇを分散させて分散液を調整し、超音波（２０ｋＨｚ、５０Ｗ）を分散液に５分間照射し、分散液濃度を５０００〜２万個／μＬとして、前記装置により測定を行い、３μｍ以上の円相当径の粒子群の平均円形度及びモード円形度を求める。
【手続補正３】
【補正対象書類名】明細書
【補正対象項目名】００６８
【補正方法】変更
【補正の内容】
【００６８】
この懸濁重合法で得られるトナー粒子（以下、「重合トナー」ともいう）は、個々のトナー粒子形状がほぼ球形に揃っているため、平均円形度が０.９６０以上、好ましくは０.９７０以上という本発明に必須な物性要件を満たすトナー粒子が得られやすく、さらにこういったトナー粒子は帯電量の分布も比較的均一となるため高い転写性を有している。
【手続補正４】
【補正対象書類名】明細書
【補正対象項目名】００８８
【補正方法】変更
【補正の内容】
【００８８】
可溶なワックス及び不溶なワックスについては、使用される結着樹脂の種類等によって異なるが、種々のワックス類を使用することができ、以下に示すものが好ましい。
可溶なワックスとしては、例えばアルコールワックス、高級脂肪族アルコール、ステアリン酸、パルミチン酸、等の脂肪酸、またはその化合物、アルコールアルキレンオキサイド付加物ワックス、エステルワックス、硬化ヒマシ油、アルコール誘導体ワックス、アミドワックス、ケトンワックス及びこれらのワックスの酸化物やグラフト変性物等の誘導体ワックス、パラフィンワックス、マイクロクリスタリンワックス等の炭化水素系ワックス及びこれらのワックスの酸化物やグラフト変性物等の誘導体ワックス、モンタンワックス、動物系ワックス、植物系ワックス、ペトロラタム及びこれらの誘導体ワックス等を例示することができる。
【手続補正５】
【補正対象書類名】明細書
【補正対象項目名】００８９
【補正方法】変更
【補正の内容】
【００８９】
また、不溶なワックスとしては、例えばパラフィンワックス、マイクロクリスタリンワックス、ペトロラタム等の石油系ワックス及びこれらのワックスの酸化物、ビニルモノマーとのブロック共重合体物やグラフト変性物等の誘導体ワックス、ポリオレフィンワックス、フィッシャートロプシュワックス、モンタンワックス、ポリエチレンワックス等の合成系ワックス及びこれらのワックスの酸化物、ビニルモノマーとのブロック共重合体物やグラフト変性物等の誘導体ワックス、アルコールワックス、脂肪酸ワックス、アルコールアルキレンオキサイド付加物ワックス、エステルワックス、アルコール誘導体ワックス、アミドワックス、ケトンワックス及びこれらのワックスの酸化物やグラフト変性物等の誘導体ワックス、上記誘導体ワックスのケン化物やその塩等を例示することができる。
【手続補正６】
【補正対象書類名】明細書
【補正対象項目名】００９６
【補正方法】変更
【補正の内容】
【００９６】
また、各ワックスの示差走査熱量分析における吸熱ピークは、定着性及び製造性の観点から、４５℃以上１５０℃以下、更には５０℃以上１３０℃以下であることが好ましい。各ワックスの示差走査熱量分析における吸熱ピークは、高精度の内熱式入力補償型の示差走査熱量計、例えば、パーキンエルマー社製のＤＳＣ−７を用い、ＡＳＴＭ  Ｄ３４１８−８２に準じて測定することができる。
【手続補正７】
【補正対象書類名】明細書
【補正対象項目名】０１９６
【補正方法】変更
【補正の内容】
【０１９６】
転写効率は、ベタ黒画像転写後の感光ドラム上の転写残トナーを、マイラーテープによりテーピングしてはぎ取り、紙上に貼ったもののマクベス濃度の値をＨ、転写後定着前のトナーの載った紙上にマイラーテープを貼ったもののマクベス濃度をＩ、未使用の紙上に貼ったマイラーテープのマクベス濃度をＪとした時、近似的に以下の式で計算した。
【数４】
2002072546.tif 000001
転写効率は９０％以上であれば問題のない画像である。